(57)【要約】  ユーザの顔の一部分上に装着可能な光線療法システムは、ランププラットフォームと、ランププラットフォーム上に配設され、かつランププラットフォームに電気的に結合されたコントローラユニットと、ランププラットフォームをユーザの顔の上で固定された配向に保持するためのフレームと、を含む。コントローラユニットは、使用中にユーザの顔に向けて方向付けられた内向き表面と、再充電可能な電源と、内向き表面内に配設され、かつ充電レセプタクルと電気通信する充電レセプタクルと、を有する。使用中、フレームは、充電レセプタクルとユーザの顔の最も近い表面との間の間隔が充電レセプタクルクリアランスを画定するような関係で、ランププラットフォーム及びコントローラユニットを保持する。
2021529609.tif 000002
【特許請求の範囲】
【請求項１】
ユーザの顔の一部分上に装着可能な光線療法システムであって、
（ａ）ランププラットフォームであって、外側表面と、使用中に前記ユーザの顔に向けて方向付けられた反対側の内側表面と、を有し、前記ユーザの顔の一部分を照射するように配置及び構成された複数の治療ランプを備える、ランププラットフォームと、
（ｂ）前記ランププラットフォーム上に配設され、かつ前記ランププラットフォームに電気的に結合されたコントローラユニットであって、
（ｉ）使用中に前記ユーザの顔に向けて方向付けられた内向き表面と、
（ｉｉ）再充電可能な電源と、
（ｉｉｉ）充電レセプタクルであって、前記内向き表面に配設され、かつ前記充電レセプタクルと電気通信する、充電レセプタクルと、を有する、コントローラユニットと、
（ｃ）前記ランププラットフォームの前記内側表面及び前記コントローラユニットの前記内向き表面が前記ユーザの顔から離間されているように、前記ランププラットフォームを固定された配向に保持するためのフレームであって、前記ランププラットフォームの前記内側表面と前記ユーザの顔の隣接する表面との間の間隔が、プラットフォームクリアランスを画定し、前記充電レセプタクルと前記ユーザの顔の最も近い表面との間の間隔が、充電レセプタクルクリアランスを画定する、フレームと、を備える、光線療法システム。
【請求項２】
前記プラットフォームクリアランスが、約５ｍｍ〜約５０ｍｍである、請求項１に記載の光線療法システム。
【請求項３】
前記充電レセプタクルクリアランスが、約２５ｍｍ未満である、請求項１に記載の光線療法システム。
【請求項４】
前記充電レセプタクルクリアランスが、約２０ｍｍ未満である、請求項３に記載の光線療法システム。
【請求項５】
前記装着可能なランププラットフォームの前記複数の治療ランプのうちの少なくとも１つが、約４５０ｎｍ〜約４９５ｎｍのピーク波長を有する青色光を提供する、請求項１に記載の光線療法システム。
【請求項６】
前記装着可能なランププラットフォームの前記複数の治療ランプのうちの少なくとも１つが、約６２０ｎｍ〜約７００ｎｍのピーク波長を有する赤色光を提供する、請求項１に記載の光線療法システム。
【請求項７】
前記装着可能なランププラットフォームの前記複数の治療ランプのうちの少なくとも１つが、約７００ｎｍ〜約１０００ｎｍのピーク波長を有する赤外光を提供する、請求項１に記載の光線療法システム。
【請求項８】
ユーザの顔の一部分上に装着可能な光線療法システムであって、
（ａ）ランププラットフォームであって、
（ｉ）外側表面と、使用中に前記ユーザの顔に向けて方向付けられた反対側の内側表面と、を有し、前記ユーザの顔の一部分を照射するように配置及び構成された複数の治療ランプを備え、
（ｉｉ）前記ランププラットフォームが、長手方向軸を画定する、基部から頂部まで延在する高さ（ｈ）を有し、前記ランププラットフォームが、（前記長手方向軸に対して垂直な）横平面において略凹状の形態を有する、ランププラットフォームと、
（ｂ）前記ランププラットフォームの前記基部上に配設され、かつ前記ランププラットフォームの前記基部に電気的に結合されたコントローラユニットであって、使用中に前記ユーザの顔に向け方向付けられた内向き表面及び再充電可能な電源を有し、前記コントローラユニットの前記内向き表面が、（前記長手方向軸に対して垂直な）横平面において略凹状の形態を有する、コントローラユニットと、
（ｃ）前記ランププラットフォームの前記内側表面が前記ユーザの顔から離間されているように、前記ランププラットフォームを固定された配向に保持するためのフレームであって、前記ランププラットフォームの前記内側表面と前記ユーザの顔の隣接する表面との間の間隔が、プラットフォームクリアランスを画定する、フレームと、を備える、光線療法システム。
【請求項９】
前記再充電可能な電源が、前記横平面において、間に斜角を画定している少なくとも２つの細長い円筒形セルを備える、請求項８に記載の光線療法システム。
【請求項１０】
前記コントローラユニットが、前記再充電可能な電源と電気通信している充電レセプタクルを更に含む、請求項８に記載の光線療法システム。
【請求項１１】
前記充電レセプタクルが、前記内向き表面に配設されている、請求項１０に記載の光線療法システム。
【請求項１２】
前記フレームが、前記ユーザの顔から離間された前記コントローラユニットの前記内向き表面を保持し、前記充電レセプタクルと前記ユーザの顔の最も近い表面との間の間隔が、充電レセプタクルクリアランスを画定する、請求項１１に記載の光線療法システム。
【請求項１３】
前記プラットフォームクリアランスが、約５ｍｍ〜約５０ｍｍである、請求項８に記載の光線療法システム。
【請求項１４】
前記充電レセプタクルクリアランスが、約２５ｍｍ未満である、請求項１２に記載の光線療法システム。
【請求項１５】
前記充電レセプタクルクリアランスが、約２０ｍｍ未満である、請求項１４に記載の光線療法システム。
【請求項１６】
前記装着可能なランププラットフォームの前記複数の治療ランプのうちの少なくとも１つが、約４５０ｎｍ〜約４９５ｎｍの波長を有する青色光を提供する、請求項８に記載の光線療法システム。
【請求項１７】
前記装着可能なランププラットフォームの前記複数の治療ランプのうちの少なくとも１つが、約６２０ｎｍ〜約７００ｎｍの波長を有する赤色光を提供する、請求項８に記載の光線療法システム。
【請求項１８】
前記装着可能なランププラットフォームの前記複数の治療ランプのうちの少なくとも１つが、約７００ｎｍ〜約１０００ｎｍの波長を有する赤外光を提供する、請求項８に記載の光線療法システム。
【発明の詳細な説明】
【技術分野】
【０００１】
本発明は、皮膚の健康を改善するための、光に基づく皮膚療法治療を送達するための装置及び方法に関する。具体的には、本発明は、皮膚の健康を改善するためにユーザの顔の一部分上に装着可能な光線療法システムである。
【背景技術】
【０００２】
光療法、又は日光療法としても既知の光線療法は、日光、又は、多色偏光、レーザー、発光ダイオード（light-emitting diodes、ＬＥＤ）、蛍光灯、ダイクロイック光、若しくは非常に明るいフルスペクトル光を使用した光の特定の波長への曝露からなる。光は、所定の時間量、場合によっては特定の時刻に施行される。
【０００３】
光療法で治療される皮膚疾患としては、アトピー性皮膚炎、乾癬、白斑、にきび、湿疹、新生児黄疸、及びいくつかの形態の癌が挙げられる。
【０００４】
患者への光療法の施行のための多くの既知の装置が存在する。必要とされる装置のサイズは、処置を必要とする領域のサイズに依存する。皮膚障害は、身体のほぼ全体に対してわずか少数のパッチを含むことがある。そのため、皮膚処置に使用するための装置としては、床、カウンタートップ、又は手持ちランプ、並びに装着可能なパッチ及びマスクが挙げられる。
【０００５】
消費者は、治療を受けるために医院を訪問することもできるが、便利な家庭用光療法送達装置もまた所望されている。これらの装置の多くは、手持ち式である必要があるが、概して、満足のいくものではない。ハンドフリーの治療体験は、治療中に装置を長時間特定の位置に保持しなければならない場合より常にすぐれている。
【０００６】
近年、ユーザの顔を治療するためのいくつかの光線療法治療装置が導入されている。これらの多くは、マスクの形態では、異なるサイズ及び形状に適合するように可撓性であり、ユーザの不快感を伴わずに使用するのが簡易である。ユーザの顔を治療するための光線療法治療装置は、放射エネルギーを放射する複数の放射ランプを含む装着可能な治療ランププラットフォームと、ユーザの上で治療ランププラットフォームを支持し、ユーザの上に治療ランププラットフォームを位置決めするフレームと、治療ランププラットフォームと動作可能に関連付けられたコントローラと、を含む、アセンブリの形態で提供される。
【０００７】
多くの場合、コントローラは、治療ランププラットフォームから分離され、治療ランププラットフォームに繋がれている。これにより、ユーザが治療ランププラットフォームを顔の上に装着しながら、コントローラを一方の手で保持しなければならないため、光線療法装置の使用をより不便にしている。
【０００８】
この問題を克服するために、コントローラは、治療ランププラットフォーム上に取り付けることができる。しかしながら、コントローラのサイズ／重量、並びに光線療法装置の使用時にユーザの快適性を乱さない場所で、コントローラをマスク上に配置することの困難さがある。
【０００９】
また、市場で利用可能なユーザの顔を治療するための光線療法治療装置の多くは、再充電可能な電源を有するコントローラを備える。近年、再充電可能な電池、具体的にはリチウム電池が、再充電中に過熱し、損傷を与える火災を引き起こすという多くの報告が世界中に存在している。これらは、電池故障、又はユーザが誤った種類の電池充電器で電池を充電することのいずれかによるものであった。したがって、装置を装着しながら、光線療法治療装置の電池を再充電することは推奨されない。
【発明の概要】
【発明が解決しようとする課題】
【００１０】
光線治療の利点を使用する手段を、暴露中の治療効果を最大化する様式で提供しながら、使用の容易さ、便利さ、及び安全性を維持することが所望される。このため、ユーザの安全性のために、ユーザが装置を装着している間に再充電することができない、治療ランププラットフォーム上に取り付けられた再充電可能な電源を有するコントローラを組み込む、ユーザの顔を治療するための軽量、可撓性、調節可能な光線療法装置が開示される。
【課題を解決するための手段】
【００１１】
一実施形態において、本発明は、ユーザの顔の一部分上に装着可能な光線療法システムに関し、本システムは、
（ａ）ランププラットフォームであって、外側表面と、使用中にユーザの顔に向けて方向付けられた反対側の内側表面と、を有し、ユーザの顔の一部分を照射するように配置及び構成された複数の治療ランプを備える、ランププラットフォームと、
（ｂ）ランププラットフォーム上に配設され、かつランププラットフォームに電気的に結合されたコントローラユニットであって、
（ｉ）使用中にユーザの顔に向けて方向付けられた内向き表面と、
（ｉｉ）再充電可能な電源と、
（ｉｉｉ）充電レセプタクルであって、内向き表面に配設され、かつ充電レセプタクルと電気通信する、充電レセプタクルと、を有する、コントローラユニットと、
（ｃ）ランププラットフォームの内側表面及びコントローラユニットの内向き表面がユーザの顔から離間されているように、ランププラットフォームを固定された配向に保持するためのフレームであって、ランププラットフォームの内側表面とユーザの顔の隣接する表面との間の間隔が、プラットフォームクリアランスを画定し、充電レセプタクルとユーザの顔の最も近い表面との間の間隔が充電レセプタクルクリアランスを画定する、フレームと、を備える。
【００１２】
別の実施形態では、ユーザの顔の一部分上に装着可能な光線療法システムに関し、本システムは、
（ａ）ランププラットフォームであって、
（ｉ）外側表面と、使用中にユーザの顔に向けて方向付けられた反対側の内側表面と、を有し、ユーザの顔の一部分を照射するように配置及び構成された複数の治療ランプを備え、
（ｉｉ）ランププラットフォームが、長手方向軸を画定する、基部から頂部まで延在する高さ（ｈ）を有し、ランププラットフォームが、（長手方向軸に対して垂直な）横平面において略凹状の形態を有する、プラットフォームと、
（ｂ）ランププラットフォームの基部上に配設され、かつランププラットフォームの基部に電気的に結合されたコントローラユニットであって、使用中にユーザの顔に向けて方向付けられた内向き表面及び再充電可能な電源を有し、コントローラユニットの内向き表面が、（長手方向軸に対して垂直な）横平面において略凹状の形態を有する、コントローラユニットと、
（ｃ）ランププラットフォームの内側表面がユーザの顔から離間されているように、ランププラットフォームを固定された配向に保持するためのフレームであって、ランププラットフォームの内側表面とユーザの顔の隣接する表面との間の間隔が、プラットフォームクリアランスを画定する、フレームと、を備える。
【００１３】
第３の実施形態では、再充電可能な電源に通電するのに十分な時間、ケーブルコネクタを充電レセプタクルに挿入することと、ユーザが光線療法システムを顔の上に配置することを可能にするために、充電レセプタクルからケーブルコネクタを取り外すことと、ユーザの顔の少なくとも一部分に治療ランプのうちの１つ又は２つ以上を照射するコントローラユニットによって管理された光線療法のプログラムを開始することと、光線療法のプログラムが光線療法を完了することを可能にすることと、顔から光線療法システムを取り外すことと、を含む、請求項１に記載の光線療法システムを使用する治療方法に関する。
【図面の簡単な説明】
【００１４】
【図１】本発明の光線療法システムの実施形態の前方斜視図である。
【図２】図１のシステムの正面図である。
【図３】図１のシステムの背面図である。
【図４】図１のシステムの分解斜視図である。
【図５】光線療法システムの装着可能なランププラットフォーム上に配設されたコントローラユニットの正面図である。
【図６】図５のコントローラユニットの背面図である。
【図７】図５のコントローラユニットの分解斜視図である。
【図８】図５のコントローラユニットの前面パネルの第２の側面の図である。
【図９】装着可能なランププラットフォーム上に配設された図５のコントローラユニットの前面パネルの第２の側面の図である。
【図１０】図５のコントローラユニットの背面パネルの第２の側面の図である。
【図１１】コントローラユニットがコントローラユニットの前面パネル内に配設された、図５の部分的に組み立てられたコントローラユニットの上面図である。
【図１２】コントローラユニットがコントローラユニットの前面パネル内に配設された、図５の部分的に組み立てられたコントローラユニットの背面図である。
【図１３】充電ケーブルに結合された図１の光線療法システムの背面斜視図である。
【図１４】充電ケーブルに結合された図１の光線療法システムの側面斜視図である。
【発明を実施するための形態】
【００１５】
当業者であれば、本明細書の記載に基づいて本発明を最大限利用できると考えられる。以下の具体的な実施形態は、あくまで例示的なものとして解釈すべきであり、以下の開示内容をいかなる意味においても限定するものとして解釈すべきではない。
【００１６】
特段の規定がない限り、本明細書で用いられる全ての科学技術用語は、本発明が属する技術分野における当業者が一般に理解するものと同じ意味を有する。
【００１７】
本発明は、皮膚の健康を改善するための、光に基づく皮膚療法治療を送達するための装置及び方法に関する。具体的には、本発明は、皮膚の健康を改善するためにユーザの顔の一部分上に装着可能な光線療法システムである。療法治療としては、老化防止強化又はにきび予防が挙げられるが、これらに限定されない。装置は、装着可能であり、ハンドフリーである。本明細書に開示される光線療法システム１０は、ユーザが装置を装着しながら、システム１０の充電を防止する安全特徴部を有する、ランププラットフォーム上に配設され、かつランププラットフォームに電気的に結合されたコントローラユニットを有する。
【００１８】
図１〜図４は、ユーザの顔の一部分上に装着可能な光線療法システム１０の実施形態を示す。光線療法システム１０は、装着可能なランププラットフォーム１５と、ランププラットフォーム１５上に配置され、かつランププラットフォーム１５に電気的に結合されたコントローラユニット５０と、装着可能なランププラットフォーム１５をユーザの顔から離間した固定された配向に保持するためのフレーム９０と、を含む。
【００１９】
装着可能なランププラットフォーム１５は、基部２１と、頂部２２と、外側表面２３と、使用中にユーザの顔に向けて方向付けられた、反対側の内側表面３４と、ユーザの顔の一部分を照射するように配置及び構成された複数の治療ランプ８２と、外側表面２３から内側表面３４までランププラットフォーム１５を通って延在するアイスロット２８と、を有する。
【００２０】
装着可能なランププラットフォーム１５の内側表面３４は、反射性であり、ユーザの顔によって散乱した光を顔に戻すように配置及び構成される。
【００２１】
装着可能なランププラットフォーム１５は、長手方向軸を画定する、基部２１から頂部２２まで延在する高さ（ｈ）を有し、ランププラットフォーム１５は、（長手方向軸に対して垂直な）横平面において略凹状の形態を有する。
【００２２】
図４は、光線療法システムの分解斜視図である。図において見られるように、装着可能なランププラットフォーム１５は、外壁２０及び内壁３０からなる。外壁２０は、治療中にユーザの顔から最も遠く離れて配設され、一方で内壁３０はユーザの顔のより近くに配設される。壁は、水平方向及び垂直方向の両方において凹状構成を有し、凹部は、放射線を治療領域に戻すために捕捉及び反射するための多次元放物線状湾曲を含む。この実施形態では、壁は、可鍛性の剛性を有するプラスチック材料で構成され、その結果、装着可能なランププラットフォーム１５は、使用中にわずかに屈曲及び偏向され得る。凹面は、ユーザの頭部よりもわずかに小さく、その結果、マスクは頭部に適用されると外に屈曲し、それによってユーザ上に近接してはいるが快適な締り具合を提供し、使用中に装着可能なランププラットフォーム１５を所望の位置に維持するであろうことが意図される。
【００２３】
外壁２０は、基部２１と、頂部２２と、外壁の第１の表面２３（外側表面としても既知である）と、外壁の第２の表面２４と、外壁２０を通って、外壁の第１の表面２３から外壁の外側の第２の表面２４まで延在するアイスロット２８と、を有する。
【００２４】
内壁３０は、基部３１と、頂部３２と、内壁の第１の表面３３と、内壁の第２の表面３４（内側表面としても既知である）と、スナップアウト枢動接続部３５と、治療ランプ開口部３６と、内壁３０を通って内壁の第１の表面３３から内側表面３４まで延在するアイスロット３８と、を有する。内側表面３４は、治療領域に面する滑らかな継ぎ目のない反射表面からなる。
【００２５】
外壁２０及び内壁３０は、異なる凹部半径を有する。装着可能なランププラットフォーム１５が組み立てられるとき、外周全体が外壁２０及び内壁３０が共になるにつれて封止される。このような一体合わせシールは、典型的には超音波溶着構成によって成し遂げられる。代替的に、局所シール点（図示せず）が使用されて、離間された中間部の複数のシールによって壁を共に組み立ててもよい。ユーザが装着可能なランププラットフォーム１５に関連している限り、一体型構造体が提示される。
【００２６】
装着可能なランププラットフォーム１５が組み立てられるとき、治療ランプの開口部３６は、治療ランプ８２に対して嵌合的に位置合わせされ、その結果、ランプ８２は、開口部３６を通して治療光を放射することができる。したがって、治療ランプ８２は、内壁３０に関して凹部に置かれて、処置表面との接触を不可能とし、いかなる場合にも治療ランプ８２自体がユーザと接触することを非常に困難としている。このようなアセンブリは、治療光の所定の円錐を処置領域に与えるやり方で、放射治療の制御された伝達をもたらす。治療ランプの開口部３６は、治療領域にわたって光分布を均一とするために、所望の治療領域及び壁の双曲線構成に対して配設される。このような制御された光円錐、装着可能なランププラットフォーム１５上の治療ランプ８２自体の所定の配置、内壁３０の内側表面３４上の内側反射表面、及び鼻並びに耳の接触領域に対するプラットフォーム位置を介しての治療領域に対するアセンブリの制御された位置決めの組み合わせが、高度に予測可能な光の分布パターン（光源ごとの所定の光円錐）を提示するアセンブリを提示し、それによって効果的な治療のために含まれることが必要とされる治療ランプ８２の数を最少化する。
【００２７】
加えて、組み立てられたとき、装着可能なランププラットフォーム１５の外壁２０と内壁３０との間に間隔が存在する。安全性及び利便性の向上のために、間隔内に配設されるのは、治療ランプ８２、及びランプを電源コントローラ５０に接続する回路である。図４に示されるように、治療ランプ８２は、治療ランププラットフォーム８０上に配設される。スナップアウト枢動接続本体３５もまた、内壁３０の内側表面３４上に配設される。図面には示されていないが、回路は、電源コントローラ５０を治療ランプ８２に接続する。回路は、導電性ワイヤ又はフィラメントの形態であってもよい。これらは、金属又は非金属導電性材料で作製されてもよい。金属導電性材料としては、銅、アルミニウム、及び銀が挙げられる。非金属導電性材料としては、グラファイト又は導電性ポリマーが挙げられる。
【００２８】
いくつかの実施形態では、外壁２０は、治療ランプ８２、レンズ、及び回路のための支持体として一次的に機能する。代替的に、治療ランプ８２は、内壁３０に固定されてもよい。どの壁が治療ランプ８２を支持するかにかかわらず、ランプ８２は、装着可能な光線療法システム１０の所望の性能を達成するために、治療ランプの開口部３６と適切に位置合わせされる必要がある。
【００２９】
内壁３０が、治療ランプ８２と位置合わせされた治療ランプの開口部３６を有すると上述されているが、当業者であれば、内壁内の光透過窓、及び更には透明プラスチック内壁などの連続的な透過性の内壁などの他の光透過方式が使用され得ることを認識するであろう。
【００３０】
図５〜図１２に示されるコントローラユニット５０は、装着可能なランププラットフォーム１５上に配設され、かつ装着可能なランププラットフォーム１５に電気的に結合される。ユニットは、外壁２０の基部２１並びに内壁３０の基部３１に取り付けられる。コントローラユニット５０の構成要素は、前方部品５１、後方部品６１、及び電子装置ユニット７０を含む。
【００３１】
図５は、コントローラユニット５０の正面図である。図は、前面パネル５１の第１の側面５２を有する前面パネル５１、電源ボタンフラップ５４、及びインジケータ光５９を示す。図６は、コントローラユニット５０の背面図である。図は、コントローラユニット５０の内向き表面６２及び充電開口カバーフラップ６８を有する背面パネル６１を示す。コントローラユニット５０の背面パネル６１上の内向き表面６２は、装着可能な光線療法システム１０の使用中にユーザの顔に向けて方向付けられる。
【００３２】
図７は、コントローラユニット５０の分解斜視図である。図は、前面パネル５１、背面パネル６１、及び電子機器ユニット７０を示す。
【００３３】
電子機器ユニット７０は、プリント回路基板アセンブリ（Printed Circuit Board Assembly、「ＰＣＢＡ」）７２と、２つの細長い円筒形セルの形態の再充電可能な電源７４と、充電レセプタクル７６と、からなるコントローラを有する。２つの細長い円筒形セルは、例えば、再充電可能な電池であってもよい。
【００３４】
前述したように、装着可能なランププラットフォーム１５は、長手方向軸を画定する基部２１から頂部２２まで延在する高さ（ｈ）を有し、ランププラットフォーム１５は、（長手方向軸に対して垂直な）横平面において略凹状の形態を有する。図７は、横平面において、間に斜角を画定している再充電可能な電源７４を備える、２つの細長い円筒形セルを示す。２つの細長い円筒形セルの斜角は、概して、ランププラットフォーム１５の基部２１において凹状の形態をたどる。これにより、電子機器ユニット７０が、ユーザの顔の方向に内壁３０から突き出ることを防止する。
【００３５】
図６に示されるように、コントローラユニット５０の背面パネル６１は、内向き表面６２及び充電開口部カバーフラップ６８を有する。装着可能な光線療法システム１０の使用中、内向き表面６２は、ユーザの顔に向けて方向付けられる。図６に示されていない充電レセプタクル７６は、コントローラユニット５０内に配設され、図に示されるように、充電開口部カバーフラップ６８によって覆われる。
【００３６】
限定するものではないが、充電レセプタクル７６は、ＵＳＢレセプタクルの形態であってもよい。ユニバーサルシリアルバスの略であるＵＳＢは、パーソナルコンピュータとそれらの周辺デバイスとの間の接続、通信、及び電源のためのケーブル、コネクタ、及びプロトコルを定義するために開発された業界標準である。概して、ＵＳＢレセプタクルは、標準ＵＳＢ  Ｔｙｐｅ−Ａ、Ｔｙｐｅ−Ｂ、又はＴｙｐｅ−Ｃとして入手可能である。最近の展開にはまた、限定されるものではないが、Ｍｉｎｉ−Ａ、Ｍｉｎｉ−ＡＢ、Ｍｉｎｉ−Ｂ、Ｍｉｃｒｏ−Ａ、Ｍｉｃｒｏ−ＡＢ、及びＭｉｃｒｏ−Ｂなどの「ミニ」及び「マイクロ」ＵＳＢが挙げられる。示される実施形態では、充電レセプタクル７６は、ＵＳＢ  Ｍｉｃｒｏ−Ａである。
【００３７】
図８は、コントローラユニット５０の前面パネル５１の第２の側面５３の図である。前面パネル５１の第２の側面５３は、電源ボタンフラップ５４、前面パネル５１をコントローラユニット５０の背面パネル６１に取り付けるために使用されるスナップ締結具（又はスナップ）の雄部分５５、並びに電源クリップ５６及びＰＣＢＡクリップ５７を含む。スナップ締結具の雄部分５５は、コントローラユニット５０が組み立てられたとき、スナップ締結具の雌部分６４内に配設される。スナップ締結具は、コントローラユニット５０を組み立てるために使用されるが、前面パネル５１を背面パネル６１に取り付ける他の手段も企図される。これらには、ねじ、ピン、フック、又は接着剤が挙げられる。いくつかの実施形態では、スナップ締結具又は接着剤を有するねじの組み合わせを使用して、コントローラユニット５０の固体構造を確実にすることができる。
【００３８】
電源クリップ５６及びＰＣＢＡクリップ５７は、コントローラユニット５０が組み立てられるとき、再充電可能な電源７４（再充電可能な電池など）及びＰＣＢＡ７２を定位置に保持するために使用される。図１１及び図１２は、内部に配設された電子機器ユニット７０を有するクリップ５６及び５７を示す。
【００３９】
図９は、装着可能なランププラットフォーム１５上に配設されたコントローラユニット５０の前面パネル５１の背面図である。上述したように、ユニット５０は、外壁２０の基部２２及び内壁３０の基部３２上に配設され、かつこれらに取り付けられる。この実施形態では、基部２２及び基部３２は、装着可能なランププラットフォーム１５上のコントローラユニット５０の配置のためにノッチ付きである。いくつかの実施形態では、コントローラユニット５０は、スナップ、ねじ、ピン、フック、又は接着剤によって、装着可能なランププラットフォーム１５に取り付けられる。いくつかの実施形態では、スナップ締結具又は接着剤を有するねじの組み合わせが使用されてもよい。提示される実施形態では、接着剤は、コントローラユニット５０を装着可能なランププラットフォーム１５に取り付けるために使用される。
【００４０】
上述したように、背面パネル６１は、コントローラユニット５０の内向き表面、又は第１の側面若しくは背面パネル６１としても既知の内向き表面６２を有する。装着可能な光線療法システム１０の使用中、内向き表面６２は、ユーザの顔に向けて方向付けられる。コントローラユニット５０の背面パネル６１の第２の側面６３は、図１０に示される。背面パネル６１の第２の側面６３は、スナップ締結具、充電開口部６５、電源クリップ６６、及び充電開口カバーフラップ６８の雌部分６４を含む。上述したように、スナップ締結具の雄部分５５は、コントローラユニット５０が組み立てられたとき、スナップ締結具の雌部分６４内に配設される。電源クリップ６６は、コントローラユニット５０が組み立てられたとき、再充電可能な電源７４（再充電可能な電池など）を定位置に保持するために使用される。
【００４１】
充電レセプタクル７６は、コントローラユニット５０の内向き表面６２内に配設され、再充電可能な電源７４と電気通信する。充電開口部６５は、所望の充電機能を達成するために、充電レセプタクル７６と適切に位置合わせされる必要がある。充電開口部カバーフラップ６８は、再充電可能な電源７４への接続を可能にする位置まで枢動することができるようにヒンジ式である。
【００４２】
図４の分解図に示されるフレーム９０は、装着可能なランププラットフォーム１５を、ユーザの顔から離間した固定された配向に保持するために使用されるフレームである。加えて、フレーム９０は、ランププラットフォーム１５を固定された配向に保持するために使用され、その結果、ランププラットフォーム１５の内側表面及びコントローラユニット５０の内向き表面６２は、ユーザの顔から離間され、ランププラットフォーム１５の内壁３０の内側表面３４と、ユーザの顔の隣接する表面との間の間隔は、プラットフォームクリアランスを画定し、充電レセプタクル７６とユーザの顔の最も近い表面との間の間隔は、充電レセプタクルクリアランスを画定する。
【００４３】
フレーム９０は、図３及び図４に示されるように、こめかみアーム９２、ノーズアーム９４、耳ラッチ９５、レンズ９６、及びコネクタ９８を有する。こめかみアーム９２は、耳の上に延在するフレーム９０の側面上の長いアームである。耳ラッチ９５は、ユーザの耳の周囲に部分的に巻き付き、特にユーザが頭部を下に傾ける場合に、フレーム９０をユーザの顔の上に維持する。ノーズアーム９４は、装着可能なランププラットフォーム１５をユーザの顔から設定された距離で保持する。レンズ９６は、治療ランプ８２からのユーザの眼への保護を提供する。いくつかの実施形態では、交換レンズ９６を使用して、ユーザの快適性を最適化することができる。コネクタ９８は、フレーム９０に取り付けられて、ランププラットフォーム１５の内壁３０上の枢動接続部３５をスナップアウトする。いくつかの実施形態では、こめかみアーム９２は、ユーザの頭部サイズに対してより良好にサイズ決定するために順にはめ込むことができるか、又は装着可能なランププラットフォーム１５をユーザに固定するためのヘッドストラップを含むことができる。
【００４４】
スナップアウト枢動接続部３５により、装着可能なランププラットフォーム１５が、フレーム９０に対して枢動することを可能にし、その結果、ユーザは、プラットフォームをより近く又はより遠くに移動させることによって、治療領域に対して光強度を調整することができる。上述したように、プラットフォーム１５は、凹面放物線付勢を有する可撓性であるが、なお可鍛性の剛性も有する。フレーム９０がユーザの上に受容されるとき、フレーム９０は、ランププラットフォーム１５放物線付勢を延在するように配設されて、ユーザの頭部のサイズへの一致を形成する。ユーザへのフレーム９０基準接触点としては、ユーザのこめかみ、鼻筋、及び耳を含み得る。
【００４５】
治療ランプ８２は、発光ダイオード（Light Emitting Diodes、ＬＥＤ）、又は他の放射エネルギー形態であってもよい。これには、蛍光剤、レーザー、赤外線、紫外線、又は放射エネルギー形態の組み合わせが挙げられる。光エネルギーを操作する方法は、本実施形態に包含される。光放射の別の方法として、連続、パルス、集束、発散、多波長、単波長、可視及び／又は非可視光波長を含み得る。
【００４６】
治療ランプは、約４５０ナノメートル（ｎｍ）〜約４９５ｎｍのピーク波長を有する青色光、又は約６２０ｎｍ〜約７００ｎｍのピーク波長を有する赤色光、又は約７００ｎｍ〜約１０００ｎｍのピーク波長を有する赤外光を提供することができる。
【００４７】
示される装着可能なランププラットフォーム１５の実施形態は、顎ライン、顎、頬、鼻、及び額を覆うが、ユーザの眼瞼を覆わない、規則的なパターンで配置された、合計２１の治療ランプ８２を有する。治療ランプ８２の数、配置、タイプ、及び色は、所望の治療に依存する。所望の治療としては、にきび、アトピー性皮膚炎、乾癬、白斑、強皮症、湿疹、小じわ及びしわ、並びに新生児黄疸及びいくつかの形態の癌などの皮膚疾患が挙げられるが、これらに限定されない。例えば、所望の治療が皮膚にきびに対するものである場合、青色及び赤色ＬＥＤが使用され得、これは、これらの周波数がにきび治療に最も有用であるためである。最小の数の、しかし依然として効果的な治療の提供に十分な数の治療ランプ８２が意図される。
【００４８】
治療の過程で、治療ランプ８２からの光エネルギーを操作して、装着可能な光線療法システム１０の性能を改善させることができる。治療ランプ８２からの光エネルギーを操作する方法は、連続、パルス、集束、拡散、多重波長、単一波長、可視光及び／又は非可視光波長を含んでもよい。
【００４９】
上述したように、フレーム９０は、ランププラットフォームの内側表面及びコントローラユニットの内向き表面がユーザの顔から離間されるように、装着可能なランププラットフォーム１５を固定された配向で保持し、ランププラットフォームの内側表面とユーザの顔の隣接する表面との間の間隔は、プラットフォームクリアランスを画定する。いくつかの実施形態では、プラットフォームクリアランスは、約５ｍｍ〜約５０ｍｍ、好ましくは約１０ｍｍ〜約４０ｍｍ、最も好ましくは約１２ｍｍ〜約３０ｍｍである。コントローラユニットの内向き表面とユーザの顔の隣接する表面との間の間隔は、コントローラクリアランスを画定する。いくつかの実施形態では、コントローラクリアランスは、約０ｍｍ〜約２５ｍｍである（コントローラユニットの内向き表面がユーザの顔と接触することが許容される）。いくつかの好ましい実施形態では、コントローラクリアランスは、約０ｍｍ〜約２０ｍｍであり、より好ましい実施形態では、コントローラクリアランスは、約０ｍｍ〜約１５ｍｍである。
【００５０】
コントローラユニット５０の背面パネル６１は、内向き表面６２を有する。装着可能な光線療法システム１０の使用中、内向き表面６２は、ユーザの顔に向けて方向付けられる。充電レセプタクル７６は、コントローラユニット５０の内向き表面内向き表面６２内に配設される。充電レセプタクル７６とユーザの顔の最も近い表面との間の間隔は、充電レセプタクルクリアランスを画定する。
【００５１】
上述したように、充電レセプタクル７６は、ＵＳＢレセプタクルの形態であってもよい。再充電可能な電源７４を再充電する手段は、互換性のあるＵＳＢケーブルを使用することになる。再充電可能な電源７４である。ＵＳＢケーブルは、概して、非導電性シースで覆われた並列ワイヤのコードから作製される。プラグは、コードの各端部に位置する。プラグは、部分的に露出し、非導電性オーバーモールドで部分的に覆われた突起部を有する。ＵＳＢケーブルの突起部は、結合具の「雄」部品として機能するが、ＵＳＢレセプタクルは、結合部の「雌」部品として機能する。
【００５２】
ＵＳＢレセプタクルと同様に、ＵＳＢケーブルは、概して、標準的なＵＳＢ  Ｔｙｐｅ−Ａ、Ｔｙｐｅ−Ｂ、若しくはＴｙｐｅ−Ｃとして、又は最近開発されたＭｉｎｉ−Ａ、Ｍｉｎｉ−ＡＢ、Ｍｉｎｉ−Ｂ、Ｍｉｃｒｏ−Ａ、Ｍｉｃｒｏ−ＡＢ、及びＭｉｃｒｏ−Ｂとして入手可能であり、ケーブル及びレセプタクルは、適切な結合、したがって充電が行われるために、一致しなければならない。
【００５３】
コントローラユニット５０の再充電可能な電源７４を充電するために、開口部カバーフラップ６８を充電することは、結合部の「雄」部品（ＵＳＢケーブルの突起部）と、結合部の「雌」部品（充電レセプタクル７６内に配設されたＵＳＢレセプタクル）との間の接続を可能にする位置まで（枢動線上で回転することによって）変位させる。
【００５４】
図１３及び図１４は、充電ケーブル１００に結合された光線療法システム１０の、それぞれ背面斜視図及び側面斜視図である。充電ケーブル１００は、コード１０５、並びにプラグ１１０及び１２０と共に示される。プラグ１１０は、突起部１１２及びオーバーモールド１１４と共に示される。プラグ１２０のオーバーモールド１２４が示されるが、プラグ１２０の突起部は、充電レセプタクル７６に挿入されるために示されない。示される実施形態では、充電ケーブル１００は、ＵＳＢケーブルであり、プラグ１１０は、ＵＳＢ  Ｔｙｐｅ−Ａであり、一方でプラグ１２０は、ＵＳＢ  Ｍｉｃｒｏ−Ａである。ＵＳＢ構成要素として示されるが、これらの構成要素は、本発明の限定的な構成要素を意味するものではない。
【００５５】
上述したように、本明細書で開示された光線療法システム１０は、治療が実施されている間に、システム１０の充電を防止する安全特徴部を有する。先に述べたように、充電レセプタクル７６とユーザの顔の最も近い表面との間の間隔は、充電レセプタクルクリアランスを画定する。図１４は、「ｌ」としてプラグ１２０のオーバーモールド１２４の長さを画定する。プラグ１２０のオーバーモールド１２４の長さが充電レセプタクルクリアランスよりも長い場合、ユーザは、治療が実施されている間に、光線療法システム１０を充電ケーブル１００に結合することができない。これは、充電レセプタクル７６とユーザの顔の最も近い表面との間のオーバーモールド１２４の余長に適合するのに必要な付加的な空間が、ユーザの顔から離れるように光線療法システム１０を付勢し、ユーザの快適性のための固定された配向で装着可能なランププラットフォーム１５を保持するフレーム９０が、ユーザの顔の上に正しく適合しないからである。
【００５６】
上述したように、示される実施形態では、充電ケーブル１００は、ＵＳＢケーブルである。市販のＵＳＢケーブルは、典型的に、約５ｍｍ〜約５０ｍｍ超の「ｌ」値を有する。本明細書に記載の光線療法システム１０の安全特徴部を利用するために、充電レセプタクルクリアランスは、これらの「ｌ」値未満でなければならない。そのため、いくつかの実施形態では、充電レセプタクルクリアランスは、約５ｍｍ未満、又は約１０ｍｍ未満、又は約２０ｍｍ未満、又は約５０ｍｍ未満である。
【００５７】
請求項１に記載の光線療法システムを使用する治療方法は、再充電可能な電源７４に通電するのに十分な時間、充電ケーブル１００を充電レセプタクル７６に挿入することと、次いで充電レセプタクル７６から充電ケーブル１００を取り外して、ユーザが顔の上に光線療法システム１０を配置することができるようにすることと、を含む。通常の使用では、治療ランプ８２は、コントローラユニット５０によって通電され、光線療法治療のプログラムが開始される。光線療法のプログラムは、ユーザの顔の少なくとも一部分において治療ランプ８２のうちの１つ又は２つ以上を照射する、コントローラユニット５０によって管理される。光線療法のプログラムが完了するとき、光線療法システム１０は、顔から取り外される。
【００５８】
治療サイクルの長さは、実施される治療に依存することになる。いくつかの実施形態では、治療サイクルは、６０分未満、又は３０分、又は１０分、又は５分、又は１分である。
【００５９】
本発明の組成物、形態、及び製造方法を例示する以下の具体的な実施例を参照することで本発明を更に深く理解できるであろう。当業者には組成物、形態、及び製造方法の多くの変例が自明であることが理解されるであろう。以下の実施例はあくまで例示的なものに過ぎず、部及び比率（％）は特に断らない限り重量に基づいている。
【実施例】
【００６０】
実施例１：プロトタイプの光線療法システム
市販の光療法マスクを加工することにより、プロトタイプの光線療法システムを構築した。具体的には、市販のＮＥＵＴＲＯＧＥＮＡ  ＬＩＧＨＴ  ＴＨＥＲＡＰＹ  ＡＣＮＥ  ＭＡＳＫＳ（Ｊｏｈｎｓｏｎ  ＆  Ｊｏｈｎｓｏｎ、Ｎｅｗ  Ｂｒｕｎｓｗｉｃｋ、ＮＪ）である。各マスクについて、既存のコード及びコントローラを取り外し、電子機器を収容する新しいモジュールをベース製品に設置した。
【００６１】
各プロトタイプについて、新しいモジュールは、プリント回路基板及び電池からなる。モジュールを、既存のマスクの２つの部品ハウジングに設置し、回路基板の出力を、最終電気接続としてマスク内のＬＥＤストリングリード線に接続した。次いで、このモジュールサブアセンブリを、シアノアクリレート接着剤を利用してマスクの基部に接着した。一度、完全に再充電可能な電池を、モジュールの内側の露出したマイクロＵＳＢポートを通して充電し、６時間充電した。
【００６２】
機能を実証するために、各マスクが充電されると、モジュールの前面に位置するオン／オフボタンを利用してマスクをオンにした。一度、モジュール内のマイクロコントローラ内のプログラムをオンにすると、予めプログラムされた１０分の使用時間の間、マスクが点灯し続け、ＬＥＤに供給される電力を調節し、その結果、それらは使用時間にわたって一貫した光パワーを送達する。
【００６３】
各プロトタイプは、本明細書に記載されるフォーマットの光線療法システムの完全な機能性を実証する。
【００６４】
〔実施の態様〕
（１）  ユーザの顔の一部分上に装着可能な光線療法システムであって、
（ａ）ランププラットフォームであって、外側表面と、使用中に前記ユーザの顔に向けて方向付けられた反対側の内側表面と、を有し、前記ユーザの顔の一部分を照射するように配置及び構成された複数の治療ランプを備える、ランププラットフォームと、
（ｂ）前記ランププラットフォーム上に配設され、かつ前記ランププラットフォームに電気的に結合されたコントローラユニットであって、
（ｉ）使用中に前記ユーザの顔に向けて方向付けられた内向き表面と、
（ｉｉ）再充電可能な電源と、
（ｉｉｉ）充電レセプタクルであって、前記内向き表面に配設され、かつ前記充電レセプタクルと電気通信する、充電レセプタクルと、を有する、コントローラユニットと、
（ｃ）前記ランププラットフォームの前記内側表面及び前記コントローラユニットの前記内向き表面が前記ユーザの顔から離間されているように、前記ランププラットフォームを固定された配向に保持するためのフレームであって、前記ランププラットフォームの前記内側表面と前記ユーザの顔の隣接する表面との間の間隔が、プラットフォームクリアランスを画定し、前記充電レセプタクルと前記ユーザの顔の最も近い表面との間の間隔が、充電レセプタクルクリアランスを画定する、フレームと、を備える、光線療法システム。
（２）  前記プラットフォームクリアランスが、約５ｍｍ〜約５０ｍｍである、実施態様１に記載の光線療法システム。
（３）  前記充電レセプタクルクリアランスが、約２５ｍｍ未満である、実施態様１に記載の光線療法システム。
（４）  前記充電レセプタクルクリアランスが、約２０ｍｍ未満である、実施態様３に記載の光線療法システム。
（５）  前記装着可能なランププラットフォームの前記複数の治療ランプのうちの少なくとも１つが、約４５０ｎｍ〜約４９５ｎｍのピーク波長を有する青色光を提供する、実施態様１に記載の光線療法システム。
【００６５】
（６）  前記装着可能なランププラットフォームの前記複数の治療ランプのうちの少なくとも１つが、約６２０ｎｍ〜約７００ｎｍのピーク波長を有する赤色光を提供する、実施態様１に記載の光線療法システム。
（７）  前記装着可能なランププラットフォームの前記複数の治療ランプのうちの少なくとも１つが、約７００ｎｍ〜約１０００ｎｍのピーク波長を有する赤外光を提供する、実施態様１に記載の光線療法システム。
（８）  ユーザの顔の一部分上に装着可能な光線療法システムであって、
（ａ）ランププラットフォームであって、
（ｉ）外側表面と、使用中に前記ユーザの顔に向けて方向付けられた反対側の内側表面と、を有し、前記ユーザの顔の一部分を照射するように配置及び構成された複数の治療ランプを備え、
（ｉｉ）前記ランププラットフォームが、長手方向軸を画定する、基部から頂部まで延在する高さ（ｈ）を有し、前記ランププラットフォームが、（前記長手方向軸に対して垂直な）横平面において略凹状の形態を有する、ランププラットフォームと、
（ｂ）前記ランププラットフォームの前記基部上に配設され、かつ前記ランププラットフォームの前記基部に電気的に結合されたコントローラユニットであって、使用中に前記ユーザの顔に向け方向付けられた内向き表面及び再充電可能な電源を有し、前記コントローラユニットの前記内向き表面が、（前記長手方向軸に対して垂直な）横平面において略凹状の形態を有する、コントローラユニットと、
（ｃ）前記ランププラットフォームの前記内側表面が前記ユーザの顔から離間されているように、前記ランププラットフォームを固定された配向に保持するためのフレームであって、前記ランププラットフォームの前記内側表面と前記ユーザの顔の隣接する表面との間の間隔が、プラットフォームクリアランスを画定する、フレームと、を備える、光線療法システム。
（９）  前記再充電可能な電源が、前記横平面において、間に斜角を画定している少なくとも２つの細長い円筒形セルを備える、実施態様８に記載の光線療法システム。
（１０）  前記コントローラユニットが、前記再充電可能な電源と電気通信している充電レセプタクルを更に含む、実施態様８に記載の光線療法システム。
【００６６】
（１１）  前記充電レセプタクルが、前記内向き表面に配設されている、実施態様１０に記載の光線療法システム。
（１２）  前記フレームが、前記ユーザの顔から離間された前記コントローラユニットの前記内向き表面を保持し、前記充電レセプタクルと前記ユーザの顔の最も近い表面との間の間隔が、充電レセプタクルクリアランスを画定する、実施態様１１に記載の光線療法システム。
（１３）  前記プラットフォームクリアランスが、約５ｍｍ〜約５０ｍｍである、実施態様８に記載の光線療法システム。
（１４）  前記充電レセプタクルクリアランスが、約２５ｍｍ未満である、実施態様１２に記載の光線療法システム。
（１５）  前記充電レセプタクルクリアランスが、約２０ｍｍ未満である、実施態様１４に記載の光線療法システム。
【００６７】
（１６）  前記装着可能なランププラットフォームの前記複数の治療ランプのうちの少なくとも１つが、約４５０ｎｍ〜約４９５ｎｍの波長を有する青色光を提供する、実施態様８に記載の光線療法システム。
（１７）  前記装着可能なランププラットフォームの前記複数の治療ランプのうちの少なくとも１つが、約６２０ｎｍ〜約７００ｎｍの波長を有する赤色光を提供する、実施態様８に記載の光線療法システム。
（１８）  前記装着可能なランププラットフォームの前記複数の治療ランプのうちの少なくとも１つが、約７００ｎｍ〜約１０００ｎｍの波長を有する赤外光を提供する、実施態様８に記載の光線療法システム。
（１９）  実施態様１に記載の光線療法システムを使用する治療方法であって、前記再充電可能な電源に通電するのに十分な時間、ケーブルコネクタを前記充電レセプタクルに挿入することと、前記ユーザが前記光線療法システムを前記顔の上に配置することを可能にするために、前記充電レセプタクルから前記ケーブルコネクタを取り外すことと、前記ユーザの顔の少なくとも一部分に前記治療ランプのうちの１つ又は２つ以上を照射する前記コントローラユニットによって管理された光線療法のプログラムを開始することと、前記光線療法のプログラムが前記光線療法を完了することを可能にすることと、前記顔から前記光線療法システムを取り外すことと、を含む、治療方法。
【図１】
2021529609.tif 000003
【図２】
2021529609.tif 000004
【図３】
2021529609.tif 000005
【図４】
2021529609.tif 000006
【図５】
2021529609.tif 000007
【図６】
2021529609.tif 000008
【図７】
2021529609.tif 000009
【図８】
2021529609.tif 000010
【図９】
2021529609.tif 000011
【図１０】
2021529609.tif 000012
【図１１】
2021529609.tif 000013
【図１２】
2021529609.tif 000014
【図１３】
2021529609.tif 000015
【図１４】
2021529609.tif 000016
【国際調査報告】
2021529609.tif 000017
2021529609.tif 000018
2021529609.tif 000019
2021529609.tif 000020
2021529609.tif 000021